(57)【特許請求の範囲】
【請求項１】
機枠（１）内に貯留室（２）と乾燥部（３）を備え、バーナ（６）の燃焼で乾燥する穀物乾燥機において、
機枠（１）の天板上に排塵装置（３４）を設け、排塵ケース（３６）内の排塵ファンで貯留室（２）内に発生する塵埃を空気と共に排塵管（２１）に排気し、
塵挨等を含んだ排風を通す排塵管（２１）の始端近傍内に排塵送り方向（Ａ）に向かった開口端面（２２ａ）を排塵管（２１）内に形成する内圧検出菅（２２）を設け、この内圧検出菅（２２）の内圧上昇を検出する異常内圧検出手段（４０）を設け、
異常内圧検出手段（４０）を内圧検出菅（２２）の出口に設ける閉鎖付勢した蓋（２６）が開くことで検出し、
該蓋（２６）が開くと、バーナ（６）の燃焼を停止し、通風運転に切り換わり、次回の乾燥運転時には通風運転を行わないと乾燥運転に入らないようにしたことを特徴とする穀物乾燥機。
【請求項２】
内圧検出菅（２２）の出口に設ける蓋（２６）の閉鎖付勢力を調整可能にした請求項１に記載の穀物乾燥機。
【請求項３】
前記内圧検出管（２２）の開口端面（２２ａ）を排塵送り方向（Ａ）に向ける構成としたことを特徴とする請求項１又は請求項２に記載の穀物乾燥機。
【発明の詳細な説明】
【技術分野】
【０００１】
本発明は、籾すり機や乾燥機において、機体内で発生する籾殻や塵挨を機外に排出する排塵管で発生する詰り現象を迅速に検出して作業者に報知する排塵管の詰り検出装置に関する。
【背景技術】
【０００２】
例えば、籾すり機の安全装置として、特開２００７−１６７７３２号公報に記載の技術が有る。この技術は、籾殻搬送パイプを通って排出される籾殻が排出中に詰ったことを検出するために、籾殻搬送パイプの側面に筒内の異常内圧で安全弁が開く非常口を設けた構成で、非常口から籾殻が噴出することで作業者に知らせるようにしている。
【先行技術文献】
【特許文献】
【０００３】
【特許文献１】特開２００７−１６７７３２号公報
【発明の概要】
【発明が解決しようとする課題】
【０００４】
前記の籾殻搬送パイプの側面に筒内の異常内圧で非常口の安全弁が開く構成では、非常口を籾殻搬送パイプの始端側に設けると籾すり機から籾殻搬送パイプ内へ吹き出す籾殻が非常口の安全弁に直接当たってその衝撃で開いてしまうことがあるために、籾殻搬送パイプの詰まり現象を正確に検出できない。
【０００５】
本発明は、排塵管内へ吐き出される排塵物の影響で詰り検出が不正確になるのを防いで、排塵管の先端や中間部での詰りを正確に検出して直ちに作業者に知らせるようにした排塵管の詰り検出装置とすることを課題とする。
【課題を解決するための手段】
【０００６】
上記本発明の課題は、次の技術手段により解決される。
請求項１に記載の発明は、
機枠（１）内に貯留室（２）と乾燥部（３）を備え、バーナ（６）の燃焼で乾燥する穀物乾燥機において、
機枠（１）の天板上に排塵装置（３４）を設け、排塵ケース（３６）内の排塵ファンで貯留室（２）内に発生する塵埃を空気と共に排塵管（２１）に排気し、
塵挨等を含んだ排風を通す排塵管（２１）の始端近傍内に排塵送り方向（Ａ）に向かった開口端面（２２ａ）を排塵管（２１）内に形成する内圧検出菅（２２）を設け、この内圧検出菅（２２）の内圧上昇を検出する異常内圧検出手段（４０）を設け、
異常内圧検出手段（４０）を内圧検出菅（２２）の出口に設ける閉鎖付勢した蓋（２６）が開くことで検出し、
該蓋（２６）が開くと、バーナ（６）の燃焼を停止し、通風運転に切り換わり、次回の乾燥運転時には通風運転を行わないと乾燥運転に入らないようにしたことを特徴とする穀物乾燥機とする。
【０００７】
【０００８】
請求項２に記載の発明は、内圧検出菅２２の出口に設ける蓋２６の閉鎖付勢力を調整可能にした請求項１に記載の穀物乾燥機とする。
請求項３に記載の発明は、前記内圧検出管（２２）の開口端面（２２ａ）を排塵送り方向（Ａ）に向ける構成としたことを特徴とする請求項１又は請求項２に記載の穀物乾燥機とする。
【発明の効果】
【０００９】
請求項１に記載の発明で、排塵管２１に設ける内圧検出菅２２の開口端面２２ａが排塵送り方向Ａに向かって開口していることで、排塵管２１に吹き込む排塵風圧が内圧検出菅２２に直接吹き込むことなく、排塵管２１先端や中間部などのどこかに詰りが発生することによる異常内圧上昇を内圧検出菅２２に設ける異常内圧検出手段４で検出するので、正確に詰りを検出できる。
【００１０】
また、異常内圧検出手段４が内圧検出菅２２の蓋２６が開くことで異常内圧上昇を検出する構成で簡単である。
また、次回の乾燥運転時には点検モードとして通風運転をしてから乾燥運転を行うことができる。
請求項２に記載の発明で、請求項１の効果に加えて、詰り時の異常内圧の検出設定変更が容易である。
【００１１】
請求項３に記載の発明で、排塵ケース３６から吹き出す塵挨が内圧検出管（２２）に直接入り込まないようにすることができる。
【図面の簡単な説明】
【００１２】
【図１】穀物乾燥機の正面図である。
【図２】穀物乾燥機の側断面図である。
【図３】（ａ）制御盤見取図、（ｂ）タッチパネル表示例である。
【図４】穀物乾燥機上部の排塵装置の斜視図である。
【図５】排塵管の始端部側面図である。
【図６】排塵管の側断面図である。
【図７】別実施例の排塵管の側断面図である。
【図８】別実施例の斜視図である。
【発明を実施するための形態】
【００１３】
以下、本発明の実施形態を図面に示す実施例を参照しながら説明する。
穀物乾燥機は、その正面図および側断面図をそれぞれ図１、図２に示すように、その機枠１の内部に上から貯留室２、乾燥部３、集穀室４の順に形成し、その外周部に設けた昇降機５の駆動によって穀物を昇降循環させながら、バーナ６の燃焼と吸引ファン７とにより発生する熱風を乾燥部３で浴びせて乾燥する公知の形態である。乾燥部３の穀物出口には正逆に回転しながら所定量の穀物を流下させる繰出しドラム８を備え、その繰出し穀物を昇降機５に通じる集穀室４の下部移送装置９に受け、昇降機５で上昇し、上部側に接続する上部移送装置１０で貯留室２の拡散盤１１に供給することにより、張込み穀物が貯留室２の全面に均一に堆積貯留される。貯留室２に設けた張込量測定器２ａは、張込み穀物の堆積上面高さ位置を測定することにより張込量を把握することができる。
【００１４】
また、機枠１の天板上に排塵装置３４を設け、排塵ケース３６内の排塵ファンで貯留室２内に発生する塵挨を空気と共に吸引ケース２０から吸引して排塵管２１に排気する。
モータ３５で内部の吸引ファンを駆動する排塵ケース３６を下部に設ける引継ケース３２を吸引ケース２０の側面に取り付け、排塵ケース３６に排塵管２１の始端部を連結している。引継ケース３２の上部には内部を掃除するための点検窓３８を設け、スライド蓋３３で開閉可能にしている。
【００１５】
排塵管２１の始端部には、本発明の異常内圧検出手段４０であるところの、内圧検出菅２２を管内へ直角に差し込み、蓋支持枠２３を側面に固着している。蓋支持枠２３には、内圧検出菅２２の出口を閉じる蓋２６のアーム２７を支軸２５で枢支する支柱２４を設け、蓋２６が開いてアーム２７が上方へ回動すると検出する蓋センサ３１を設けている。
【００１６】
蓋２６には上方へボルト２８を突設し、複数の座金２９をナット３０で締めつけて、座金２９の数を変更して蓋２６を閉じる付勢力の調整が出来るようにしている。
また、蓋支持枠２３には、前記蓋センサ３１をボルト３９とナット４１で取り付けているが、このボルト３９に前記座金２９の予備を取り付けている。
【００１７】
蓋センサ３１は、蓋２６が開いたことを検出して、警告ランプや警報を作動して作業者に詰りの発生を知らせ、バーナ６の燃焼をを停止して通風のみに切り換える。そして、一度詰りが発生すると、次回の乾燥機運転時には点検モードとして通風運転をしないと乾燥運転に入らないようにする。
【００１８】
排塵管２１内の内圧検出菅２２の端面２２ａは、図６に示す如く、排塵送り方向Ａに向かっていて、排塵ケース３６から吹き出す塵挨が直接入り込まないようにしている。また、図７に示す如く、内圧検出菅２２の内側端部を排塵送り方向Ａと平行に曲げて、端面２２ａを直角に切り落とした形状にしても良い。
【００１９】
なお、排塵管２１の詰り検出方法として、図８に示す如く、排塵管２１の出口上部に張り出したアーム４５に蝶番或いは紐等の吊具４４で錘４２を吊り下げ、排気の圧力で振れた錘４２の動き量を近接センサ４３で監視し、振れ角度が少なくなるか或いは停止すると詰り発生として報知するようにしても良い。
【００２０】
バーナ６および昇降機５をはじめとする穀物循環機構等は、運転制御に必要な制御プログラムや各種データ等を記憶するメモリを備えるコンピュータによって行なわれる。即ち、操作盤１２には、その制御盤見取図を図３（ａ）に示すように、タッチパネル形態の設定表示部１３とデジタル表示部１３ａを設け、この表示部１３，１３ａの下縁に沿って押しボタン形態の運転スイッチ１４〜１７、及び緊急停止スイッチ１８等を配置して構成する。
【００２１】
設定表示部１３は、その拡大表示例を図３（ｂ）に示すように、穀物設定、張込量、水分設定、速度設定、乾燥モード、水分補正を選択操作する例であり、具体的には、上記速度設定は、「ふつう」を中心に、「おそい」「ややおそい」「ややはやい」「はやい」の５段階の乾燥速度から選択でき、上記乾燥モードは、速度設定の乾燥速度Ｖ０による「標準モード」、後述の水分斑収束の取扱いを含む「水分斑収束モード」等があり、合わせてガイドメッセージを表示する。
【００２２】
デジタル表示部１３ａは、乾燥指標となる温度、水分、残時間の３項目を切替式に英数字表示し、また、該当する場合は異常内容コード番号等を表示する。
運転スイッチ１４〜１７は、順に、張込・通風・乾燥・排出の各運転用スイッチである。
【００２３】
内蔵の制御部は操作盤１２のスイッチ情報や乾燥機の機枠１の各部に配設したセンサ類からの検出情報等を受けて所定の演算処理により、バーナ燃焼量の制御、穀物循環系の起動・停止制御、表示部１３，１３ａの表示内容制御等を行う。上記操作盤１２は、張込・乾燥・排出・通風の各設定のほか、タイマ増・減等を設定できる。
【産業上の利用可能性】
【００２４】
本発明は、乾燥機や籾すり機以外の塵挨を機外に排出する装置全般に応用できる。
【符号の説明】
【００２５】
Ａ    排塵送り方向
２１    排塵管
２２    内圧検出菅
２２ａ  開口端面
２６    蓋
３１    蓋センサ
４０    異常内圧検出手段
【図１】
0006488671.tif 000002
【図２】
0006488671.tif 000003
【図３】
0006488671.tif 000004
【図４】
0006488671.tif 000005
【図５】
0006488671.tif 000006
【図６】
0006488671.tif 000007
【図７】
0006488671.tif 000008
【図８】
0006488671.tif 000009